(57)【要約】本発明の照明装置１２は、複数の光源１８と、前記光源１８を収容するシャーシ１４と、前記光源１８に対して駆動電力を供給する電力供給基板２０と、前記シャーシ１４に組み付けられ、前記電力供給基板２０と前記複数の光源１８との間の電力供給を中継する複数の中継コネクタ２１と、を備え、前記複数の中継コネクタ２１は並列配置されており、前記電力供給基板２０は、その長手方向が、前記中継コネクタ２１の並列方向に沿って配置され、前記中継コネクタ２１の並列方向に沿って移動されることで当該中継コネクタ２１に取り付けられるものであり、前記シャーシ１４には、前記中継コネクタ２１の並列方向に沿って前記電力供給基板２０を案内するガイド部３０，３１が設けられていることを特徴とする。
2010103704.tif 000002
【特許請求の範囲】
【請求項１】
複数の光源と、
前記光源を収容するシャーシと、
前記シャーシに対して前記光源とは反対側に配され、前記光源に対して駆動電力を供給する電力供給基板と、
前記シャーシに組み付けられ、前記電力供給基板と前記複数の光源との間の電力供給を中継する複数の中継コネクタと、を備え、
前記複数の中継コネクタは並列配置されており、
前記電力供給基板は、その長手方向が、前記中継コネクタの並列方向に沿うように配置されるとともに、前記中継コネクタの並列方向に沿って移動されることで当該中継コネクタに取り付けられるものであり、
前記シャーシには、前記中継コネクタの並列方向に沿って前記電力供給基板を案内するガイド部が設けられていることを特徴とする照明装置。
【請求項２】
前記シャーシは金属製とされ、
前記ガイド部は、前記シャーシを板金成形することにより形成されたものであることを特徴とする請求項１に記載の照明装置。
【請求項３】
前記ガイド部は、前記シャーシとは別の部材で形成されたものであることを特徴とする請求項１に記載の照明装置。
【請求項４】
前記ガイド部の終端部には、前記電力供給基板の移動を抑止するストッパが設けられていることを特徴とする請求項１から請求項３のいずれか１項に記載の照明装置。
【請求項５】
前記ガイド部は、金属製であり、前記電力供給基板の放電用グランドであることを特徴とする請求項１から請求項４のいずれか１項に記載の照明装置。
【請求項６】
前記ガイド部は、前記シャーシの面内方向において前記電力供給基板を案内するための第１ガイド部と、前記電力供給基板と前記シャーシとの間の離間状態を保持するための第２ガイド部とから構成されていることを特徴とする請求項１から請求項５のいずれか１項に記載の照明装置。
【請求項７】
請求項１から請求項６のいずれか１項に記載の照明装置と、前記照明装置からの光を利用して表示を行う表示パネルと、を備えることを特徴とする表示装置。
【請求項８】
前記表示パネルは、一対の基板間に液晶を封入してなる液晶パネルであることを特徴とする請求項７に記載の表示装置。
【請求項９】
請求項７又は請求項８に記載された表示装置を備えることを特徴とするテレビ受信装置。
【発明の詳細な説明】
【技術分野】
【０００１】
本発明は、照明装置、表示装置、及びテレビ受信装置に関する。
【背景技術】
【０００２】
例えば、液晶テレビなどの液晶表示装置に用いる液晶パネルは、自発光しないため、別途に照明装置としてバックライト装置を必要としている。このバックライト装置は、液晶パネルの裏側（表示面とは反対側）に設置されるようになっており、液晶パネル側の面が開口したシャーシと、シャーシ内に収容される多数本のランプ（例えば冷陰極管）と、各ランプに電力を供給可能なインバータユニットとを備える。【０００３】
インバータユニットとランプとを電気的に接続するための構成の一例として下記特許文献１に記載されたものが知られている。このものは、ランプがシャーシの表側内部に配されるのに対し、インバータユニットがシャーシの裏側外部に配されるとともに、シャーシにはランプソケットが内外に貫通する形態で取り付けられている。そして、このランプソケットの内側端部にランプが接続されるのに対し、ランプソケットの外側端部にインバータユニットが接続されるようになっている。さらに、シャーシの裏側外部にはガイド部が設けられており、インバータユニットをシャーシに取り付ける際に、当該インバータユニットがガイド部によりガイドされる構成となっている。
【先行技術文献】
【特許文献】
【０００４】
【特許文献１】特開２００８−２７８８０号公報
【０００５】
（発明が解決しようとする課題）
上記特許文献１に開示された液晶表示装置は、インバータユニットをランプソケットに接続するには、インバータユニットをシャーシの裏面に対して対向させた状態に保ちつつ、ランプソケットの配列方向に直交する方向に沿って水平にスライドさせてランプソケットに挿入する構成となっている。ここで、当該液晶表示装置の構成では、ランプソケットの配列方向に直交する方向とインバータユニットの短辺方向とが一致しており、当該インバータユニットは短辺方向にガイドされることとなる。この場合、インバータユニットは、その長辺方向において撓みが生じ易いため、ランプソケットとの位置ずれが生じ易くなる。その結果、インバータユニットとランプソケットとの取付作業を円滑に行うことができず、場合によってはインバータユニットが損傷するおそれがある。
【発明の概要】
【０００６】
本発明は上記のような事情に基づいて完成されたものであって、コネクタとインバータ基板との組付けにおける位置ずれ、及びそれに伴う損傷を防止することを目的とする。
【０００７】
（課題を解決するための手段）
上記課題を解決するために、本発明の照明装置は、複数の光源と、前記光源を収容するシャーシと、前記シャーシに対して前記光源とは反対側に配され、前記光源に対して駆動電力を供給する電力供給基板と、前記シャーシに組み付けられ、前記電力供給基板と前記複数の光源との間の電力供給を中継する複数の中継コネクタと、を備え、前記複数の中継コネクタは並列配置されており、前記電力供給基板は、その長手方向が、前記中継コネクタの並列方向に沿うように配置されるとともに、前記中継コネクタの並列方向に沿って移動されることで当該中継コネクタに取り付けられるものであり、前記シャーシには、前記中継コネクタの並列方向に沿って前記電力供給基板を案内するガイド部が設けられていることを特徴とする。
【０００８】
このような構成によれば、電力供給基板を中継コネクタに取り付ける際に、電力供給基板がガイド部に案内されるため、電力供給基板と中継コネクタとの位置ずれが生じ難く円滑な取付作業を行うことが可能となる。特に、本発明の構成では、電力供給基板が中継コネクタの並列方向に沿って長手状をなし、ガイド部が電力供給基板を中継コネクタの並列方向に沿って案内するものとされている。したがって、ガイド部は、電力供給基板をその長辺方向に沿って案内することとなるため、短辺方向に沿って案内する場合に比べて電力供給基板の撓みが生じ難くなり、当該電力供給基板の位置ずれがより一層生じ難くなる。その結果、電力供給基板と中継コネクタとの間に位置ずれが生じ難く、両者を円滑に取り付けることができ、ひいては電力供給基板の損傷を防止することが可能となる。
【０００９】
また、前記シャーシは金属製とされ、前記ガイド部は、前記シャーシを板金成形することにより形成されたものとすることができる。
このような構成によれば、ガイド部に他部材を用いる必要がないため、部品点数を少なくすることが可能となる。
【００１０】
また、前記ガイド部は、前記シャーシとは別の部材で形成されたものとすることができる。
このような構成によれば、ガイド部を別途用意するため、任意の形状のガイド部を形成することが可能となる。
【００１１】
また、前記ガイド部の終端部には、前記電力供給基板の移動を抑止するストッパが設けられているものとすることができる。
このような構成によれば、電力供給基板が所定位置に達したときにストッパにより移動が抑止されるため、電力供給基板の位置決めを確実に行うことが可能となる。
【００１２】
また、前記ガイド部は、金属製であり、前記電力供給基板の放電用グランドであるものとすることができる。
このような構成によれば、電力供給基板からガイド部を通じて放電されるため、当該電力供給基板からの意図しない自然放電を抑止することが可能となる。
【００１３】
また、前記ガイド部は、前記シャーシの面内方向において前記電力供給基板を案内するための第１ガイド部と、前記電力供給基板と前記シャーシとの間の離間状態を保持するための第２ガイド部とから構成されているものとすることができる。
【００１４】
このような構成によれば、電力供給基板は、第１ガイド部によりシャーシの面内方向において位置決めされるとともに、第２ガイド部によりシャーシと直交する方向においても位置が規制される。これにより、中継コネクタとインバータ基板との組付けにおける位置ずれを防止することが可能となる。特に、第２ガイド部により電力供給基板とシャーシとの離間状態が保持されるため、電力供給基板とシャーシとの接触が回避され、電力供給基板の損傷を防止することが可能となる。
【００１５】
次に、上記課題を解決するために、本発明の表示装置は、上述した照明装置と、当該照明装置からの光を利用して表示を行う表示パネルと、を備えることを特徴とする。
このような表示装置によると、表示パネルに対して光を供給する照明装置が、組付けに伴う損傷が生じ難いものであるため、製造コストの低減を図ることができるとともに動作信頼性にも優れる。
【００１６】
前記表示パネルとしては液晶パネルを例示することができる。このような表示装置は液晶表示装置として、種々の用途、例えばテレビやパソコンのディスプレイ等に適用でき、特に大型画面用として好適である。
【００１７】
また、本発明のテレビ受信装置は、上記表示装置を備えることを特徴とする。
このようなテレビ受信装置によると、製造コストの低減を図ることができるとともに、動作信頼性に優れた装置を提供することが可能となる。
【００１８】
（発明の効果）
本発明によれば、コネクタとインバータ基板との組付けにおける位置ずれ、及びそれに伴う損傷を防止することが可能となる。
【図面の簡単な説明】
【００１９】
【図１】本発明の実施形態１に係るテレビ受信装置の概略構成を示す分解斜視図
【図２】液晶表示装置の長辺方向に沿った断面構成を示す断面図
【図３】冷陰極管を収容したシャーシの平面図
【図４】カバーを取り付けたシャーシの拡大底面図
【図５】インバータ基板を取り外し位置とした状態における図４のＡ−Ａ線断面図
【図６】図４のＢ−Ｂ線断面図
【図７】インバータ基板を取り付けたシャーシの底面図
【図８】インバータ基板を非挿入位置とした状態における要部拡大底面図
【図９】インバータ基板を挿入位置とした状態における要部拡大底面図
【図１０】インバータ基板を挿入位置とした状態における図９のＣ−Ｃ線断面図
【図１１】ガイド部の構成を示すシャーシの底面図
【図１２】図１１のＤ−Ｄ線断面図
【図１３】実施形態２に係る液晶表示装置のガイド部の構成を示す断面図
【図１４】ガイド部の構成の一変形例を示す断面図
【図１５】ガイド部の構成の異なる一変形例を示す断面図
【図１６】ガイド部の構成の異なる一変形例を示す断面図
【発明を実施するための形態】
【００２０】
＜実施形態１＞
本発明の実施形態１を図１から図１２によって説明する。本実施形態では、液晶表示装置１０について例示する。
図１は本実施形態に係るテレビ受信装置の概略構成を示す分解斜視図、図２は図１のテレビ受信装置が備える液晶表示装置の長辺方向に沿った断面構成を示す断面図、図３は冷陰極管を収容したシャーシの平面図、図４はカバーを取り付けたシャーシの拡大底面図、図５はインバータ基板を取り外し位置とした状態における図４のＡ−Ａ線断面図、図６は図４のＢ−Ｂ線断面図である。
なお、各図面の一部にはＸ軸、Ｙ軸及びＺ軸を示しており、各軸方向が各図面で示した方向となるように描かれている。また、図２に示す上側を表側（正面側、光出射側）とし、図２に示す下側を裏側（背面側、光出射側とは反対側）とする。
【００２１】
本実施形態に係るテレビ受信装置ＴＶは、図１に示すように、液晶表示装置１０（表示装置）と、当該液晶表示装置１０を挟むようにして収容する表裏両キャビネットＣａ，Ｃｂと、電源Ｐと、チューナーＴとを備えて構成される。液晶表示装置１０は、全体として横長の方形を成し、図２に示すように、表示パネルである液晶パネル１１と、外部光源であるバックライト装置１２（照明装置）とを備え、これらが枠状をなすベゼル１３などにより一体的に保持されるようになっている。
【００２２】
次に、液晶表示装置１０を構成する液晶パネル１１及びバックライト装置１２について順次に説明する。液晶パネル１１は、平面視矩形状をなしており、図２に示すように、一対のガラス基板１１ａ，１１ｂが所定のギャップを隔てた状態で貼り合わせられるとともに、両ガラス基板１１ａ，１１ｂ間に液晶層（図示せず）が封入された構成とされる。一方のガラス基板１１ａには、互いに直交するソース配線とゲート配線とに接続されたスイッチング素子（例えばＴＦＴ）と、そのスイッチング素子に接続された画素電極、さらには配向膜等が設けられ、他方のガラス基板１１ｂには、Ｒ（赤色），Ｇ（緑色），Ｂ（青色）等の各着色部が所定配列で配置されたカラーフィルタや対向電極、さらには配向膜等が設けられている。このうち、ソース配線、ゲート配線及び対向電極などには、図示しない駆動回路基板から画像を表示するのに必要な画像データや各種制御信号が供給されるようになっている。なお、両ガラス基板１１ａ，１１ｂの外側にはそれぞれ偏光板１１ｃ，１１ｄが配されている。
【００２３】
バックライト装置１２は、図２に示すように、液晶パネル１１の背面直下に光源が配置されてなる、いわゆる直下型のバックライトであり、表側（光出射側、液晶パネル１１側）に開口した略箱型をなすシャーシ１４と、シャーシ１４内に敷設される反射シート１５と、シャーシ１４の開口部を覆うようにして取り付けられる複数枚の光学部材１６と、光学部材１６を保持可能なフレーム１７と、シャーシ１４内に並列した状態で収容される複数本の冷陰極管１８（光源）と、冷陰極管１８の各端部を遮光するとともに自身が光反射性を備えてなるホルダ１９とを有する。さらに、このバックライト装置１２は、シャーシ１４の裏側に配されるインバータ基板２０（電力供給基板）と、インバータ基板２０と冷陰極管１８との間の電力供給を中継する中継コネクタ２１とを備えている。
【００２４】
シャーシ１４は、アルミニウムなどの金属製とされ、液晶パネル１１と同じく平面視略矩形状をなす底板１４ａを備える。この底板１４ａの長辺方向が各図面のＸ軸方向と一致し、短辺方向が同Ｙ軸方向と一致している。底板１４ａにおける長辺方向の両端部には、中継コネクタ２１を挿通可能なコネクタ挿通孔１４ｂが貫通して形成されている。コネクタ挿通孔１４ｂは、Ｙ軸方向（底板１４ａの短辺方向）に沿って複数（冷陰極管１８及び中継コネクタ２１に対応した数）並列配置されている。反射シート１５は、光の反射性に優れた白色を呈する合成樹脂製とされ、シャーシ１４の内面のほぼ全域を覆う形で敷設されていて、冷陰極管１８からの光を光学部材１６側（光出射側）へ反射させる機能を有する。また、反射シート１５には上記コネクタ挿通孔１４ｂに連通する孔が形成されている。
【００２５】
光学部材１６は、シャーシ１４の底板１４ａや液晶パネル１１と同様に平面視矩形状をなし、透光性を有する合成樹脂製とされるとともに、裏側の冷陰極管１８と表側の液晶パネル１１との間に介在する。光学部材１６は、裏側から順に、例えば拡散板、拡散シート、レンズシート、及び輝度上昇シートにより構成されており、線状光源である各冷陰極管１８から発せられる光を均一な面状の光に変換するなどの機能を有する。
【００２６】
フレーム１７は、液晶パネル１１や光学部材１６の外周縁部に沿う枠状をなしている。フレーム１７は、光学部材１６の表側に配されるとともにホルダ１９との間で光学部材１６の外周縁部を挟持できるようになっている。また、フレーム１７は、液晶パネル１１を裏側から受けることができるようになっていて、液晶パネル１１の表側に配されるベゼル１３との間で液晶パネル１１を挟持可能とされる。
【００２７】
冷陰極管１８は、線状光源（管状光源）の一種であり、図３に示すように、その軸方向をシャーシ１４の長辺方向（Ｘ軸方向）と一致させた姿勢でシャーシ１４内に取り付けられており、複数本が互いの軸を略平行にし、且つ互いの間に所定の間隔を空けた状態でシャーシ１４の短辺方向（Ｙ軸方向）に沿って並べられている。
【００２８】
この冷陰極管１８は、放電管の一種であり、図５に示すように、両端部が封止された断面円形の細長いガラス管１８ａと、ガラス管１８ａの両端部の内側に封入された一対の電極（図示せず）と、ガラス管１８ａの両端部から外部に突出する一対のアウタリード１８ｂとを備える。ガラス管１８ａは、内部に発光物質である水銀など（蛍光体共々図示せず）が封入されるとともに、その内壁面に蛍光体が塗布されている。アウタリード１８ｂは、導電性を有する金属製とされ、ガラス管１８ａの端部からその軸方向（Ｘ軸方向）に沿って外向き（電極側とは逆向き）に突出する細長い略円柱状をなしており、その内端部がガラス管１８ａ内の電極に対して接続されることで電極と同電位とされる。
【００２９】
ホルダ１９は、光の反射性に優れた白色を呈する合成樹脂製とされ、図２に示すように、シャーシ１４の短辺方向に沿って延びるとともに、裏側の面が開口した略箱型をなしている。ホルダ１９は、シャーシ１４における長辺方向の両端部に一対取り付けられることで、同位置に並列配置された各冷陰極管１８の端部（非発光部）を一括して覆うことができるようになっている。
【００３０】
中継コネクタ２１は、図５に示すように、絶縁性を有する合成樹脂製（例えばポリブチレンテレフタレートやナイロンなど）で全体が略ブロック状をなすハウジング２３と、ハウジング２３内に収容された端子金具２４とを備えており、シャーシ１４の底板１４ａを貫通した状態で取り付けられている。図６に示すように、ハウジング２３のうち、シャーシ１４内に配された部分が、冷陰極管１８の端部を受け入れる光源受入部２３ａとされるのに対し、シャーシ１４外に配された部分が、後述するインバータ基板２０のコネクタ接続部２０ｃを受け入れる基板受入部２３ｂとされる。光源受入部２３ａには、冷陰極管１８の端部に沿った円弧状の溝部が形成されている。基板受入部２３ｂには、Ｘ軸方向に沿って後方（インバータ基板２０側）へ向けて開口するとともにＹ軸方向に沿って図６に示す右側へ向けて開口する基板挿入口２３ｃが設けられている。このハウジング２３は、シャーシ１４に対して直接保持されている。詳しくは、光源受入部２３ａは、基板受入部２３ｂよりもＹ軸方向の寸法が大きくなっており、その幅広部分２３ｄがシャーシ１４に対して表側から係合可能とされる。基板受入部２３ｂには、シャーシ１４に対して裏側から係合可能な抜け止め突部２３ｅが設けられている。
【００３１】
一方、図５に示すように、端子金具２４のうち、上記光源受入部２３ａ内に配された端部が、冷陰極管１８のアウタリード１８ｂに接触される光源接触部２４ａとされるのに対し、上記基板受入部２３ｂ内に配された端部が、コネクタ接続部２０ｃの端子部２０ｄに接触される基板接触部２４ｂとされる。光源接触部２４ａ及び基板接触部２４ｂは、それぞれバネ性を有しており、アウタリード１８ｂ及び端子部２０ｄに対して弾性接触可能とされる。インバータ基板２０から出力された出力電圧は、この中継コネクタ２１を介して冷陰極管１８のアウタリード１８ｂ及び電極に入力可能とされる。
【００３２】
中継コネクタ２１は、シャーシ１４に対して冷陰極管１８の両端部に対応した位置、すなわち底板１４ａにおける長辺方向の両端位置に一対一組で配され、かつ底板１４ａの短辺方向（Ｙ軸方向、冷陰極管１８の並列方向）に沿って複数ずつ（冷陰極管１８の本数分）並んで配されている（図７参照）。各中継コネクタ２１の配列ピッチは、各冷陰極管１８の配列ピッチとほぼ等しくなっている。各中継コネクタ２１のＹ軸方向についての設置位置は、各冷陰極管１８とほぼ同じに揃えられている。
【００３３】
カバー２２は、絶縁性を有する合成樹脂製とされ、図２に示すように、シャーシ１４の底板１４ａとインバータ基板２０との間に介在する（挟まれた配置とされる）ことで、底板１４ａに対してインバータ基板２０の配線パターンやチップ部品２０ｂなどが直接接触することを防ぐことができる。カバー２２は、底板１４ａの裏側の面（冷陰極管１８とは反対側の面）に取り付けられており、底板１４ａのうち長辺方向の両端位置に一対ずつ配置され、それにより底板１４ａにおける中継コネクタ２１の設置領域を所定の範囲に亘って覆っている。
【００３４】
詳しくは、カバー２２は、図４に示すように、平面視矩形状をなすとともに、その長辺方向を底板１４ａの短辺方向と一致させた向きで、一対ずつＹ軸方向に横並びした状態で底板１４ａの長辺方向の両端部に対してビスなどにより固定されている。したがって、カバー２２の長辺寸法は、シャーシ１４の短辺寸法やインバータ基板２０の長辺寸法の半分程度とされる。カバー２２は、略板状をなし、その板面がシャーシ１４の底板１４ａ及びインバータ基板２０の板面に対して並行する形態とされる。カバー２２は、大まかには、中継コネクタ２１に相対的に近い側（シャーシ１４における端側）が前部２２ａとされるのに対し、中継コネクタ２１から相対的に遠い側（シャーシ１４における中央側）が後部２２ｂとされる。このうち、後部２２ｂには、放熱用の放熱孔２２ｃが貫通形成され、複数行列状に配置されている。
【００３５】
続いてインバータ基板２０について図２、図７から図１０を用いて説明する。
図７はインバータ基板を取り付けたシャーシの底面図である。
インバータ基板２０は、合成樹脂製（例えばガラス布基材エポキシ樹脂製や紙フェノール製など）の基材上に所定の配線パターンが形成されるとともに各種電子部品が実装されてなる。詳しくは、図２に示すように、インバータ基板２０のうち、裏側の面（シャーシ１４とは反対側の面）には、トランスやコンデンサなどのリード部品２０ａが実装されているのに対し、表側の面（シャーシ１４側の面）には、配線パターン（図示せず）が形成されるとともに抵抗やダイオードやコンデンサなどのチップ部品２０ｂが実装されている。このうち、リード部品２０ａのリードは、インバータ基板２０のスルーホールを通して表側の面に突出した状態で配線パターンに対して半田付けされている。一方、チップ部品２０ｂは、インバータ基板２０の表側の面において配線パターン上に表面実装されている。このインバータ基板２０は、液晶表示装置１０の電源Ｐに対して接続されており、その電源Ｐから入力される入力電圧を昇圧し、入力電圧よりも高い出力電圧を冷陰極管１８へ出力するなどして冷陰極管１８の点灯・消灯を制御する機能を有する。なお、図７〜図１０では、リード部品２０ａ及びチップ部品２０ｂの図示を省略している。
【００３６】
インバータ基板２０は、図７に示すように、シャーシ１４の底板１４ａの裏側の面（冷陰極管１８とは反対側の面）に、カバー２２を介して取り付けられており、底板１４ａのうち長辺方向の両端位置に一対、対称配置されている。インバータ基板２０は、平面視略矩形状をなしており、その板面がシャーシ１４の底板１４ａの板面とほぼ平行をなすとともに、その長手方向が中継コネクタ２１の並列方向（Ｙ軸方向、底板１４ａの短辺方向）と一致する状態となっている。このインバータ基板２０は、底板１４ａに対して金属製のビス２５により四隅が固定されている。
【００３７】
インバータ基板２０における中継コネクタ２１側の端部には、中継コネクタ２１に対して挿入・接続されるコネクタ接続部２０ｃが設けられている。コネクタ接続部２０ｃは、インバータ基板２０の上記端部に切り欠きを間欠的に設けることで、インバータ基板２０の長辺方向に沿って複数（中継コネクタ２１の数分）並列配置されている。これにより、インバータ基板２０の上記端部は、櫛歯状をなしている。各コネクタ接続部２０ｃは、図１０に示すように、各中継コネクタ２１に対して個別に挿入可能とされ、その先端部には、配線パターンから延出した端子部２０ｄが設けられている。コネクタ接続部２０ｃの幅寸法は、中継コネクタ２１における基板挿入口２３ｃの開口間口よりも広くなっており、その差は、隣り合う中継コネクタ２１間の間隔と概ね等しくなっている。
【００３８】
そして、このインバータ基板２０は、シャーシ１４の底板１４ａに対して所定の間隔を空けて対向するとともにコネクタ接続部２０ｃが中継コネクタ２１から離脱した非挿入位置（図８）と、底板１４ａとの間の上記間隔（Ｚ軸方向についての位置関係）を非挿入位置と同様に維持しつつコネクタ接続部２０ｃが中継コネクタ２１内に挿入された挿入位置（図９及び図１０）との間を、シャーシ１４の底板１４ａ（インバータ基板２０の板面）に沿うＹ軸方向（インバータ基板２０の長辺方向、中継コネクタ２１の並列方向）に移動可能とされている。詳しくは、非挿入位置では、図８に示すように、コネクタ接続部２０ｃが中継コネクタ２１との間にＹ軸方向について所定の間隔を空けて配されており、その端子部２０ｄが中継コネクタ２１の端子金具２４に対して非接触の状態とされる。一方、挿入位置では、図９及び図１０に示すように、コネクタ接続部２０ｃが中継コネクタ２１内に進入していて、その端子部２０ｄが中継コネクタ２１の端子金具２４に対して接触状態とされる。インバータ基板２０は、非挿入位置と挿入位置との間を中継コネクタ２１の並列方向（Ｙ軸方向）に沿ってほぼ水平に移動可能とされており、非挿入位置から挿入位置へ向かう方向が挿入方向とされ、逆に挿入位置から非挿入位置へ向かう方向が離脱方向とされる。図７〜図９に示すＹ軸方向の上方が挿入方向であり、同図に示すＹ軸方向の下方が離脱方向である。なお、以下では、中継コネクタ２１に対するインバータ基板２０の挿入方向及び離脱方向について説明するときは、図７に示す左側のインバータ基板２０及び中継コネクタ２１を基準とし、また前後の記載については、図７〜図９に示すＹ軸方向の上方を前方、同下方を後方とする。
【００３９】
ところで、インバータ基板２０は、上述したとおり、シャーシ１４に対してＺ軸方向について所定の位置関係を維持しつつ非挿入位置から挿入位置へ向けて移動されることで、各中継コネクタ２１に取り付けられるようになっている。ところが、インバータ基板２０をシャーシ１４に取り付ける際に、Ｘ，Ｙ，Ｚ軸方向に位置ずれが生じていると、インバータ基板２０のコネクタ接続部２０ｃを中継コネクタ２１に円滑に挿入することができず、場合によってはインバータ基板２０が損傷するおそれがある。
【００４０】
そこで、本実施形態では、図１１及び図１２に示すように、インバータ基板２０を中継コネクタ２１の並列方向（Ｙ軸方向）に沿って案内する一対のガイド部３０，３１がシャーシ１４に形成されている。ガイド部３０，３１のうち主ガイド部３０は、図１１に示すように、インバータ基板２０のうちコネクタ接続部２０ｃが設けられた側とは反対側の縁部を案内するものであり、中継コネクタ２１の並列方向に沿って連続的に延設されている。一方、ガイド部３０，３１のうち副ガイド部３１は、インバータ基板２０のうちコネクタ接続部２０ｃが設けられた側の縁部を案内するものであり、隣り合うコネクタ挿通孔１４ｂの間に間欠的に設けられている。
【００４１】
ガイド部３０，３１は、図１２に示すように、シャーシ１４を略Ｌ字状に折り曲げた板金成形により形成されている。ガイド部３０，３１は、シャーシ１４の底板１４ａからほぼ垂直に立ち上がる第１ガイド部３０ａ，３１ａと、底板１４ａと平行をなす第２ガイド部３０ｂ，３１ｂとから構成されている。詳しくは、第１ガイド部３０ａ，３１ａは、底板１４ａに対して垂直方向（Ｚ軸方向）に略Ｕ字状に折り曲げられることで底板１４ａから裏側（Ｚ軸方向の下方側）に突出した構成となっている。第２ガイド部３０ｂ，３１ｂは、第１ガイド部３０ａ，３１ａの端部から底板１４ａと平行（Ｘ軸方向）に折り曲げられ、その先端側が底板１４ａ側に折り曲げられた構成となっている。第１ガイド部３０ａ，３１ａは、第２ガイド部３０ｂ，３１ｂから立ち上がる面がインバータ基板２０の長手方向の側面と接触することで、シャーシ１４の底板１４ａの面内方向における位置ずれを規制する。一方、第２ガイド部３０ｂ，３１ｂは、底板１４ａと平行をなす面がインバータ基板２０の表側の面と接触することで、当該インバータ基板２０とシャーシ１４とが所定の距離（第２ガイド部３０ｂ，３１ｂの高さ分）離間した状態を保持する。
【００４２】
さらに、図１１に示すように、ガイド部３０及びガイド部３１の終端部、すなわちインバータ基板２０の挿入方向側の先端部（Ｙ軸方向の上方端部）は、底板１４ａの面内でそれぞれが互いに向き合うように略直角に折り曲げられることでストッパ３２を形成している。これにより、ガイド部３０とガイド部３１との間の距離は、ストッパ３２が形成された以外の部分ではインバータ基板２０の短辺寸法とほぼ同等である一方、ストッパ３２が形成された部分では短辺寸法よりも小さいものとなっている。ストッパ３２は、インバータ基板２０が挿入位置に到達すると、インバータ基板２０の前端部（挿入方向側の端部）と接触する構成となっており、当該インバータ基板２０が所定の位置より過剰に移動することを抑止するものとなっている。
【００４３】
本実施形態は以上のような構造であり、続いてその作用を説明する。上記した構成の液晶表示装置１０は、それぞれ別途に製造された液晶パネル１１及びバックライト装置１２をベゼル１３などにより互いに組み付けることで製造される。以下では、このうちバックライト装置１２の組付け手順について説明する。
【００４４】
バックライト装置１２の組付けにあたっては、まずシャーシ１４の表側内面に反射シート１５を敷設する。そして、シャーシ１４内から各中継コネクタ２１を取り付けることで、シャーシ１４に対して中継コネクタ２１を保持させる。その後、シャーシ１４内に各冷陰極管１８を収容し、端部のアウタリード１８ｂを中継コネクタ２１の光源受入部２３ａ内に進入させて端子金具２４の光源接触部２４ａに対して弾性接触させる。それから、シャーシ１４に対して表側からホルダ１９、光学部材１６、及びフレーム１７を順次組み付ける（図２参照）。
【００４５】
その一方で、シャーシ１４の裏側外部においては、インバータ基板２０をシャーシ１４に対して組み付ける作業を行う。インバータ基板２０は、チップ部品２０ｂが配された側の面を表側とした状態で、図５に示す取り外し位置から、シャーシ１４に対して裏側からＺ軸方向に沿って接近されることで、図８に示す非挿入位置に至る。このとき、インバータ基板２０の側面はガイド部３０，３１の第１ガイド部３０ａ，３１ａと接触するとともに、インバータ基板２０の表側の面の縁部は第２ガイド部３０ｂ，３１ｂと接触する。これにより、インバータ基板２０は、シャーシ１４に対して所定の距離（第２ガイド部３０ｂ，３１ｂの高さ分）離間しつつ、Ｘ軸方向への位置ずれが規制された状態となる。
【００４６】
続いて、インバータ基板２０を非挿入位置から挿入位置へ向けて移動させる作業を行う。非挿入位置からインバータ基板２０をＹ軸方向に沿って前方へ押し込むと、第１ガイド部３０ａ，３１ａによりＸ軸方向への位置ずれが規制されるとともに、第２ガイド部３０ｂ，３１ｂによりＺ軸方向への位置ずれが規制されているため、インバータ基板２０はＹ軸方向に沿って、すなわち中継コネクタ２１の並列方向に沿って移動する。そして、インバータ基板２０が挿入位置に達すると、図９及び図１０に示すように、各コネクタ接続部２０ｃの端子部２０ｄに対して各中継コネクタ２１の端子金具２４の基板接触部２４ｂが弾性接触される。これにより、インバータ基板２０と冷陰極管１８とが中継コネクタ２１を介して電気的に接続され、冷陰極管１８に対する電力供給が可能となる。このとき、インバータ基板２０の前端部（挿入方向の先端部）がガイド部３０，３１のストッパ３２に接触することで、インバータ基板２０はそれ以上の移動が規制される。
【００４７】
インバータ基板２０は、挿入位置において、ガイド部３０，３１を介して、ビス２５によりシャーシ１４に固定される（図１２参照）。ここで、ビス２５はインバータ基板２０の接地用配線と接触するものとされており、ビス２５を通じてインバータ基板２０からガイド部３０，３１に放電可能となっている。言い換えれば、ガイド部３０，３１は、インバータ基板２０の放電用グランドとして機能するものとなっている。
【００４８】
以上説明したように、本実施形態に係るバックライト装置１２は、複数の冷陰極管１８と、冷陰極管１８を収容するシャーシ１４と、シャーシ１４に対して冷陰極管１８とは反対側に配され、冷陰極管１８に対して駆動電力を供給するインバータ基板２０と、シャーシ１４に組み付けられ、インバータ基板２０と複数の冷陰極管１８との間の電力供給を中継する複数の中継コネクタ２１と、を備える。そして、複数の中継コネクタ２１は並列配置されており、インバータ基板２０は、中継コネクタ２１の並列方向に沿って長手状をなし、中継コネクタ２１の並列方向に沿って移動されることで当該中継コネクタ２１に取り付けられるものである。さらに、シャーシ１４には、中継コネクタ２１の並列方向に沿ってインバータ基板２０を案内するガイド部３０，３１が設けられている。
【００４９】
このような構成によれば、インバータ基板２０を中継コネクタ２１に取り付ける際に、インバータ基板２０がガイド部３０，３１に案内されるため、インバータ基板２０と中継コネクタ２１との位置ずれが生じ難く、円滑な取付作業を行うことが可能となる。特に、本実施形態では、インバータ基板２０が中継コネクタ２１の並列方向に沿って長手状をなし、ガイド部３０，３１がインバータ基板２０を中継コネクタ２１の並列方向に沿って案内する構成とされている。したがって、ガイド部３０，３１は、インバータ基板をその長辺方向に沿って案内することとなるため、短辺方向に沿って案内する場合に比べてインバータ基板２０の撓みが生じ難くなり、当該インバータ基板２０の位置ずれがより一層生じ難くなる。その結果、インバータ基板２０と中継コネクタ２１との間に位置ずれが生じ難く、両者を円滑に取り付けることができ、ひいてはインバータ基板２０の損傷を防止することが可能となる。
【００５０】
また、本実施形態において、シャーシ１４は金属製とされ、ガイド部３０，３１はシャーシ１４を板金成形することにより形成されている。
このような構成によれば、ガイド部３０，３１を形成するのに他部材を用いる必要がないため、部品点数を少なくすることが可能となる。
【００５１】
また、ガイド部３０，３１の終端部には、インバータ基板２０の移動を抑止するストッパ３２が設けられている。
このような構成によれば、インバータ基板２０が所定位置（挿入位置）に達したときにストッパ３２により移動が抑止されるため、インバータ基板２０の位置決めを確実に行うことが可能となる。
【００５２】
また、ガイド部３０，３１は金属製であり、インバータ基板２０の放電用グランドとして機能するため、インバータ基板２０からの意図しない自然放電を抑止することが可能となる。
【００５３】
また、ガイド部３０，３１は、シャーシ１４の面内方向においてインバータ基板２０を案内するための第１ガイド部３０ａ，３１ａと、インバータ基板２０とシャーシ１４との間の離間状態を保持するための第２ガイド部３０ｂ，３１ｂとから構成されている。
このような構成によれば、インバータ基板２０は、第１ガイド部３０ａ，３１ａによりシャーシ１４の面内方向（Ｘ軸方向及びＹ軸方向）において位置決めされるとともに、第２ガイド部３０ｂ，３１ｂによりシャーシ１４と直交する方向（Ｚ軸方向）においても位置ずれが規制される。これにより、中継コネクタ２１とインバータ基板２０との組付けにおける位置ずれを防止することが可能となる。特に、第２ガイド部３０ｂ，３１ｂによりインバータ基板２０とシャーシ１４との離間状態が保持されるため、インバータ基板２０とシャーシ１４との接触が回避され、インバータ基板２０の損傷を防止することが可能となる。
【００５４】
＜実施形態２＞
本発明の実施形態２を図１３によって説明する。この実施形態２では、実施形態１からガイド部４０，４１の構成を変更したものを示す。なお、この実施形態２において、上記実施形態１と同様の部材には、上記実施形態と同符号を付して図示及び説明を省略するものもある。
図１３は本実施形態に係る液晶表示装置に備わるガイド部の断面構成を示す断面図である。
【００５５】
ガイド部４０，４１は、合成樹脂製とされ、図１３に示すように、略Ｌ字状の断面を有している。上記実施形態１と同様に、ガイド部４０は中継コネクタ２１の並列方向に沿って連続的に延設される一方、ガイド部４１は中継コネクタ２１の並列方向沿って間欠的に設けられている。ガイド部４０，４１は、シャーシ１４の底板１４ａの裏側の面からほぼ垂直に立ち上がる第１ガイド部４０ａ，４１ａと、底板１４ａと平行をなす第２ガイド部４０ｂ、４１ｂとから構成されている。第１ガイド部４０ａ，４１ａは、インバータ基板２０の長手方向の側面と接触することで、当該インバータ基板２０のＸ軸方向への位置ずれを規制している。一方、第２ガイド部４０ｂ，４１ｂは、インバータ基板２０の表側の面の縁部と接触することで、インバータ基板２０のＺ軸方向への位置ずれを規制し、インバータ基板２０とシャーシ１４との間に所定の距離（第２ガイド部４０ｂ、４１ｂの高さ分）離間状態した保持している。
【００５６】
ガイド部４０，４１の上面（底板１４ａと対向する面、Ｚ軸方向の上方側の面）には、シャーシ１４と係止可能な係止部４０ｃ、４１ｃが設けられている。この係止部４０ｃ、４１ｃは、鉤型をなしており、シャーシ１４に設けられたガイド部係止孔１４ｃを通じてシャーシ１４の表側の面に係止されている。この係止部４０ｃ、４１ｃにより、ガイド部４０，４１はシャーシ１４に固定されている。なお、本実施形態では、ガイド部４０，４１は係止部４０ｃ、４１ｃによりシャーシ１４に固定されるものとしたが、例えばビスなどにより固定されるものとしてもよい。
【００５７】
以上説明したように、本実施形態の構成によれば、ガイド部４０，４１をシャーシ１４とは異なる部材とすることにより、任意の形状のガイド部を容易に形成することが可能となる。また、ガイド部４０，４１を合成樹脂製とすることにより、当該ガイド部４０，４１と接触することに伴うインバータ基板２０の損傷を抑制することが可能となる。
【００５８】
なお、本実施形態ではガイド部４０，４１は、合成樹脂からなるものとしたが、例えば金属製としてもよい。ガイド部４０，４１を金属製とした場合、当該ガイド部４０，４１をインバータ基板２０の放電用グランドとすることが可能となる。
【００５９】
＜他の実施形態＞
本発明は上記記述及び図面によって説明した実施形態に限定されるものではなく、例えば次のような実施形態も本発明の技術的範囲に含まれる。
【００６０】
（１）上記した各実施形態では、ガイド部が略Ｌ字状の断面を有する構成を例示したが、例えば図１４に示すように円弧状の断面を有するガイド部５０や、図１５に示すように略Ｕ字状の断面を有するガイド部５１や、図１６に示すようにインバータ基板を載置する形のガイド部５２など任意の形状を採用することができる。
【００６１】
（２）上記した各実施形態では、ガイド部の先端にストッパを設ける構成を例示したが、ストッパは必ずしもガイド部に設ける必要はない。
【００６２】
（３）上記した各実施形態では、一対のガイド部のうち一方のガイド部は連続的に延設され、他方のガイド部は間欠的に設けられる構成を例示したが、一対のガイド部の組み合わせはこれに限られるものではなく、一対のガイド部はそれぞれが連続的に延設されたり、あるいはそれぞれが間欠的に設けられたりする構成としてもよい。
【００６３】
（４）上記した各実施形態では、インバータ基板の両長辺を案内する一対のガイド部を設ける構成を例示したが、必ずしもガイド部が一対ある必要はなく、例えばインバータ基板の長辺の一方のみを案内するガイド部を設ける構成としてもよい。
【００６４】
（５）上記した各実施形態以外にも、インバータ基板上に実装される部品の種類などの各種構成は適宜に変更可能である。
【００６５】
（６）上記した各実施形態では、冷陰極管の両端部の電極それぞれに対応して一対のインバータ基板を配したものを示したが、片方のインバータ基板を省略して冷陰極管を片側駆動するようにしたものも本発明に含まれる。その場合、インバータ基板が省略された側（低圧側）の中継コネクタには、アース回路を接続するようにすればよい。
【００６６】
（７）上記した各実施形態では、冷陰極管がガラス管の端部に突出したアウタリードを備え、このアウタリードをコネクタに接続したものを例示したが、例えばガラス管の端部にアウタリードに接続した口金を外装し、口金をコネクタに接続させるようなものも本発明に含まれる。
【００６７】
（８）上記した各実施形態では、光源として蛍光管の一種である冷陰極管を用いた場合を例示したが、熱陰極管など他の種類の蛍光管を用いたものも本発明に含まれる。また、蛍光管以外の種類の放電管（水銀ランプなど）を用いたものも本発明に含まれる。
【符号の説明】
【００６８】
１０…液晶表示装置（表示装置）、１１…液晶パネル（表示パネル）、１２…バックライト装置（照明装置）、１４…シャーシ、１８…冷陰極管（光源）、２０…インバータ基板（電力供給基板）、２１…中継コネクタ、３０，３１…ガイド部、ＴＶ…テレビ受信装置
【図１】
2010103704.tif 000003
【図２】
2010103704.tif 000004
【図３】
2010103704.tif 000005
【図４】
2010103704.tif 000006
【図５】
2010103704.tif 000007
【図６】
2010103704.tif 000008
【図７】
2010103704.tif 000009
【図８】
2010103704.tif 000010
【図９】
2010103704.tif 000011
【図１０】
2010103704.tif 000012
【図１１】
2010103704.tif 000013
【図１２】
2010103704.tif 000014
【図１３】
2010103704.tif 000015
【図１４】
2010103704.tif 000016
【図１５】
2010103704.tif 000017
【図１６】
2010103704.tif 000018
【国際調査報告】
2010103704.tif 000019
2010103704.tif 000020
2010103704.tif 000021